(57)【要約】【課題】収納容量を減らすことなく商品が潰れるのを防止でき、商品の出し入れの際の手間を少なくすることができる買い物籠を得る。【解決手段】本体収納部８を有する籠本体２に、籠本体２の側壁６とにより上面開口であって底部閉塞の拡張収納部３０を籠本体２の外側に本体収納部８とは別に形成する拡張体２０を設ける。この拡張体２０を籠本体２に沿った形状に形成する。拡張体２０を籠本体２に沿う第一位置と拡張収納部３０を形成する第二位置との間で籠本体２に対して移動自在とする。【選択図】    図３
2005027756.tif 000002
【特許請求の範囲】
【請求項１】
上面開口の本体収納部を内部に有する籠本体と、
前記籠本体に沿った形状に形成され前記籠本体の側壁とにより上面開口であって底部閉塞の拡張収納部を前記籠本体の外側に形成する拡張体と、
前記籠本体に沿う第一位置と前記拡張収納部を形成する第二位置との間で前記拡張体を前記籠本体に対して移動自在に保持する保持機構と、
を備える買い物籠。
【請求項２】
前記籠本体は、上側の鉛直投影面積に比べて下側の鉛直投影面積が小さい形状である請求項１記載の買い物籠。
【請求項３】
前記保持機構は、前記拡張体を前記第一位置と前記第二位置との間で水平方向にスライド自在に保持する請求項１又は２記載の買い物籠。
【請求項４】
前記籠本体に回動自在に設けられた取っ手と、
前記拡張体に回動自在に設けられた取っ手と、
を備える請求項３記載の買い物籠。
【請求項５】
前記保持機構は、前記拡張体の下端部に位置する支点を中心に前記拡張体を前記第一位置と前記第二位置との間で回動自在に保持する請求項１又は２記載の買い物籠。
【発明の詳細な説明】
【０００１】
【発明の属する技術分野】
本発明は、小売店などで使用される買い物籠に関する。
【０００２】
【従来の技術】
一般に、スーパーマーケットやコンビニエンスストアなどの小売店には、顧客が購入する商品をレジまで運ぶための買い物籠が設置されている。
【０００３】
買い物籠に商品を入れる際に、例えば卵やイチゴなどの潰れやすい商品の上に例えばペットボトルに入った飲料などの重たい商品を積み重ねた場合、潰れやすい商品が潰れてしまう。そこで、買い物籠に仕切を立設して収納スペースを左右に２分割するタイプの買い物籠が提案されている（例えば、特許文献１参照）。これにより、潰れやすい商品を重たい商品と分けて買い物籠に収納できる。
【０００４】
【特許文献１】
特開平７−４７０１０号公報
【０００５】
【発明が解決しようとする課題】
しかしながら、特許文献１のように収納スペースを左右に２分割するタイプの買い物籠では、潰れやすい商品が潰れるのを避けるため、分割した収納スペースのうちの一方に潰れやすい商品を入れその上には他の商品を積み重ねないという使用形態を想定しているため、潰れやすい商品の上方のスペースは使用されず、これにより、買い物籠の実質的な収納スペースの容量が減ってしまうという問題がある。
【０００６】
ところで、潰れやすい商品の潰れを防止する方法としては、顧客が買い物籠の中に重たい商品を入れる度に、既に買い物籠に入っている潰れやすい商品を取り出し、重たい商品を入れた後にその潰れやすい商品を入れ直すという、置き換え作業も行われている。しかしながら、この場合には、商品の置き換え作業が顧客にとって負担となる。
【０００７】
ここで、レジでの清算業務においてスーパーマーケットなどではキャッシャーは、顧客がレジカウンタに置いた買い物籠（以後、第１買い物籠という）から商品を取り出し、その商品に付された商品情報に対するスキャナの読み取り操作（以後、スキャンという）を行い、スキャン後の商品をスキャン後の商品を入れる為に予め用意した買い物籠（以後、第２買い物籠という）に入れるという作業を行う。
【０００８】
このとき、前述したように第１買い物籠の中で潰れやすい商品が一番上に置かれていると、まず、その潰れやすい商品からスキャンし、スキャン後の潰れやすい商品を第２買い物籠には入れずに一旦レジカウンタに置いておき、重たい商品スキャンが終わり重たい商品を第２買い物籠に入れた後に、つまり、最後に潰れやすい商品を第２買い物籠に入れることにより、潰れやすい商品を一番上に置いている。これにより、第２買い物籠においても、潰れやすい商品の潰れを防止している。しかしながら、第２買い物籠にスキャン後の商品を入れる際に、第２買い物籠へ入れる商品の順番の入れ替えが発生してしまい、キャッシャーにとって負担であるという問題がある。
【０００９】
さらに、この後、精算を済ませた顧客が第２買い物籠の中の商品を持ち帰り用のビニール袋に入れ替えるときも、第２買い物籠の中で一番上に置かれている潰れやすい商品を詰め替え用カウンタ上に取り出し、重たい商品をビニール袋に入れた後に、つまり最後に潰れやすい商品をビニール袋に入れることにより、潰れやすい商品を一番上に入れている。これによりビニール袋においても、潰れやすい商品の潰れを防止している。しかしながら、このように、精算後の商品を第２買い物籠からビニール袋に詰め替える際に、ビニール袋へ入れる商品の順番の入れ替えが発生してしまい、顧客にとって負担であるという問題がある。
【００１０】
本発明の目的は、収納容量を減らすことなく商品が潰れるのを防止でき、商品の出し入れの際の手間を少なくすることができる買い物籠を得ることである。
【００１１】
【課題を解決するための手段】
本発明は、籠本体に沿った形状に形成され前記籠本体の側壁とにより上面開口の拡張収納部を前記籠本体の外側に形成する拡張体を、前記籠本体に沿う第一位置と前記拡張収納部を形成する第二位置との間で前記籠本体に対して移動自在に設ける。
【００１２】
【発明の実施の形態】
本発明の第一の実施の形態を図１ないし図４に基づいて説明する。ここで、図１は本実施の形態の買い物籠を示す斜視図、図２はその縦断側面図、図３は拡張体が引き出された状態の買い物籠を示す斜視図、図４はその縦断側面図である。
【００１３】
図１ないし図４に示すように、本実施の形態の買い物籠１は、籠本体２に拡張体２０が取り付けられて構成されている。籠本体２は、長方形状の底壁３の縁から側壁である４面の縦壁４，５，６，７が上方に立設され、上面が開口されて、外形が略長方体形状に形成されており、内部に上面開口の本体収納部８を形成している。この籠本体２は、上側の鉛直投影面積に比べて下側の鉛直投影面積が小さい形状に形成されている。以後、便宜上、籠本体２の長手方向を前後方向と呼び、籠本体２の短手方向を左右方向と呼ぶこととする。
【００１４】
拡張体２０は、底壁２１の縁から側壁である左右の縦壁２２，２３及び前縦壁２４が上方に立設され上面及び後面が開口されて籠本体２の前端部の外側に沿った形状に形成されている。詳しくは、籠本体２の前端部に対して一回り大きい相似形に形成されている。
【００１５】
拡張体２０は、保持機構２５により籠本体２に対して水平方向（前後方向）にスライド自在に取り付けられている。保持機構２５は、拡張体２０の左右の縦壁２２，２３のそれぞれに上下２段に形成された前後方向に長い溝部２６，２７と、籠本体２の左右の縦壁４，５のそれぞれの上下端から外側に向けて突出して形成され溝部２６，２７がスライド自在に嵌合している突部２８，２９とから構成されている。このような構造の保持機構２５は、拡張体２０が籠本体２の前端部に沿う第一位置（図１及び図２参照）と、籠本体２から引き出された位置であり拡張体２０が籠本体２の前縦壁６とにより上面開口であって底部閉塞の拡張収納部３０を籠本体２の外側に形成する第二位置（図３及び図４参照）との間で拡張体２０を籠本体２に対してスライド自在に保持している。詳しくは、第二位置では、図４に示すように、拡張体２０の底壁２１の後端側は、籠本体２の底壁３に重なっており、拡張体２０の底部は底壁２１により閉塞されている。
【００１６】
ここで、拡張体２０の底部が閉塞とは、拡張体２０に収納した商品が拡張体２０から落ちない状態のことである。したがって、拡張体２０に収納した商品が拡張体２０から落ちない程度であれば、底壁２１に孔を形成してもよいし、底壁２１を網目状に形成してもよい。さらには、拡張体２０の底壁２１の後端と籠本体２の底壁３の前端との間に隙間が有ってもよい。
【００１７】
買い物籠１には、コの字形の一対の取っ手３１，３２が設けられている。一方の取っ手３１は、籠本体２の左右の縦壁４，５に掛け渡され左右の縦壁４，５に回動自在に支持されている。他方の取っ手３２は、拡張体２０の左右の縦壁２２，２３に掛け渡され左右の縦壁２２，２３に回動自在に支持されている。詳しくは、これらの取っ手３１，３２は、拡張体２０が第一位置に位置しているときの買い物籠１の前後方向の中心に対して対称の位置に取り付けられている。このような取付け構造により、拡張体２０が第二位置に位置しているときにも取っ手３１，３２はその状態での買い物籠１の前後方向の中心に対して対称の位置となる。
【００１８】
このような構成において、顧客が商品を買い物籠１に入れる際には、拡張体２０を籠本体２から引き出して拡張収納部３０を形成し（図３及び図４参照）、卵やイチゴなどの潰れやすい商品を拡張収納部３０に入れ、飲料などの重たい商品などを籠本体２の本体収納部８に入れれば良い。従来の買い物籠では潰れやすい物を潰れないように収納すると実質的に籠本体の収納容量が減ってしまっていたが、本実施の形態では、上述したように本体収納部８に加えて潰れやすい物を入れるための拡張収納部３０を形成することができるので、籠本体２の収納容量を減らすことなく商品が潰れるのを防止することができる。
【００１９】
このように商品を本体収納部８及び拡張収納部３０とに分けて入れることができるので、従来行われていた既に買い物籠１に入っている潰れやすい商品を取り出し重たい商品を入れた後にその潰れやすい商品を入れ直すという置き換え作業を行う必要がなく、買い物籠１に商品を入れる際の顧客の手間を少なくすることができる。
【００２０】
次に、レジでの清算業務においては、キャッシャーは、顧客がレジカウンタに置いた買い物籠１（以後、第１買い物籠１という）から商品を取り出し、その商品に付された商品情報に対するスキャナの読み取り操作（以後、スキャンという）を行い、スキャン後の商品をスキャン後の商品を入れる為に予め用意した買い物籠１（以後、第２買い物籠１という）に入れるという作業を行う。このとき、第１買い物籠１の本体収納部８に入っている商品を第２買い物籠１の本体収納部８に入れ、第一買い物籠１の拡張収納部３０に入っている商品を第２買い物籠１の拡張収納部３０に入れるようにする。これにより、第２買い物籠１においても、潰れやすい商品の潰れが防止されるとともに、従来行っていた第２買い物籠１へ入れる商品の順番の入れ替え作業が必要ないので、キャッシャーの商品の出し入れの際の手間を少なくすることができる。
【００２１】
次に、精算を済ませた顧客が第２買い物籠１の中の商品を持ち帰り用のビニール袋などに入れ替える際にも、重たい商品と潰れやすい商品とが分別されて収納されているので、重たい商品からビニール袋に入れることができ、その後、最後に潰れやすい商品をビニール袋に入れることができる。これによりビニール袋においても、潰れやすい商品の潰れが防止される。これにより、従来行っていたビニール袋へ入れる商品の順番の入れ替え作業が必要ないので、顧客の商品の出し入れの際の手間を少なくすることができる。
【００２２】
また、拡張体２０を籠本体２から引き出して第二位置に位置付けることにより拡張収納部３０を形成し（図３及び図４参照）、拡張体２０を籠本体２に沿わせることにより拡張収納部３０を形成しないので（図１及び図２参照）、買い物する商品に合わせて買い物籠１の態様を設定することができる。また、拡張体２０を籠本体２に沿わせることにより、買い物籠１の外形を小さくすることができ、買い物籠１を置くためのスペースが小さく済む。
【００２３】
また、本実施の形態においては、籠本体２は、上側の鉛直投影面積に比べて下側の鉛直投影面積が小さい形状であることにより、拡張体２０を籠本体２に沿わせることにより、買い物籠１同士を積み重ねることができる。これにより、買い物籠１を置くためのスペースがさらに小さくて済む。
【００２４】
また、本実施の形態においては、保持機構２５は、拡張体２０を第一位置と第二位置との間で水平方向にスライド自在に保持することにより、拡張収納部３０の底部を水平にすることができ、これにより、拡張収納部３０に商品を水平状態で収納することができる。
【００２５】
また、本実施の形態においては、籠本体２に回動自在に取り付けられた取っ手３１と、拡張体２０に回動自在に設けられた取っ手３２と、を備えることにより、拡張体２０の移動に伴って一方の取っ手３２も移動して買い物籠１に対する取っ手３２の取付け位置が拡張体２０の位置に応じて変わるので、拡張体２０の位置が第１位置、第２位置であっても一対の取っ手３１，３２を把持して買い物籠１を持ち上げたときのバランスを同じようにとることができる。
【００２６】
さらに、拡張体２０が第一位置に位置しているときの買い物籠１の前後方向の中心に対して対称の位置に取っ手３１，３２が取り付けられていることにより、拡張体２０が第二位置に位置しているときにも取っ手３１，３２はその状態での買い物籠１の前後方向の中心に対して対称の位置となるので、拡張体２０がどちらの位置にあっても一対の取っ手３１，３２を把持して買い物籠１を持ち上げたときのバランスが最適となる。
【００２７】
次に、本発明の第二の実施の形態を図５ないし図８に基づいて説明する。なお、第一の実施の形態と同じ部分は同一符号で示し説明も省略する。本実施の形態は、拡張体の形状及び保持機構が第一の実施の形態に対して異なる。ここで、図５は本実施の形態の買い物籠を示す斜視図、図６はその縦断側面図、図７は拡張体が引き出された状態の買い物籠を示す斜視図、図８はその縦断側面図である。
【００２８】
図５ないし図８に示すように、本実施の形態の拡張体５０は、左右の縦壁５１，５２と前縦壁５３とを有してコの字形に形成され、籠本体２の前端部の外側に沿った形状に形成されている。また、左右の縦壁５１，５２は下側よりも上側になるほど幅が大きく形成されている。
【００２９】
このような拡張体５０は、左右の縦壁５１，５２の下端部が籠本体２の左右の縦壁４，５の前端部の下端部において外側に向けて突出して形成され支点として機能する一対の支軸５４により回動自在に支持されており、これにより拡張体５０が籠本体２対して回動自在に取り付けられている。また、拡張体５０の左右の縦壁５１，５２の上端部には支軸５４を中心とする円弧状の溝部５５が形成されている。一方、籠本体２の左右の縦壁４，５の上端部にはそれらの縦壁４，５から外側に向けて突出し溝部５５がスライド自在に嵌合している突部５６が形成されている。ここで、支軸５４、溝部５５、突部５６により保持機構５７が構成されている。
【００３０】
このような構造の保持機構５７は、拡張体５０が籠本体２の前端部に沿う第一位置（図５及び図６参照）と、籠本体２から引き出された位置であり拡張体５０が籠本体２の前縦壁６とにより上面開口であって底部閉塞の拡張収納部３０を籠本体２の外側に形成する第二位置（図７及び図８参照）との間で拡張体５０を前記籠本体２に対して回動自在に保持している。そして、水平状態の拡張体５０は、その自重により、第一位置に位置しているときには前縦壁５３が籠本体２の前縦壁６に密着する方向に移動しようとし、その移動が籠本体２に規制されて位置保持される。一方、第二位置に位置しているときには、拡張体５０は、その自重により、籠本体２から離れる方向に移動しようとし、その移動が突部５６により規制されて位置保持される。
【００３１】
拡張体５０の前縦壁５３の下端部は拡張体５０の位置に関わらず、常に籠本体２の前縦壁６に近接している。これにより、拡張体５０が第二位置にあるときの拡張収納部３０の底部は、拡張体５０の前縦壁５３と籠本体２の前縦壁６とにより閉塞されている。前述したように、拡張体５０の底部が閉塞とは、拡張体２０に収納した商品が拡張体２０から落ちない状態である。したがって、拡張体２０に収納した商品が拡張体２０から落ちない程度であれば、前壁６，５３に孔を形成してもよいし、前壁６，５３を網目状に形成してもよい。さらには、拡張体２０の前縦壁５３の下端と籠本体２の前縦壁６との間に隙間が有ってもよい。
【００３２】
また、本実施の形態では、一対の取っ手３１，３２は、両方とも籠本体２の左右の縦壁４，５に掛け渡され左右の縦壁４，５に回動自在に支持されている。
【００３３】
このように本実施の形態においては、保持機構５７は、拡張体５０の下端部に位置する支点である支軸５４を中心に拡張体５０を第一位置と第二位置との間で回動自在に保持することにより、買い物籠１同士を上下に積み重ねる際には、下の買い物籠１の中に上の買い物籠１を入れることにより、上の買い物籠１の第一位置に位置している拡張体５０が下の買い物籠１の前壁に押されて第２位置に向かって回動し、最終的に第２位置に位置付けられる。このように、買い物籠１を上下に積み重ねる際には、拡張体５０が自動的に第２位置に位置付けられるので、ユーザは拡張体５０の位置を意識する必要がなく、買い物籠１の積み重ね作業を楽に行うことができる。
【００３４】
【発明の効果】
本発明によれば、収納容量を減らすことなく商品が潰れるのを防止でき、商品の出し入れの際の手間を少なくすることができる。
【図面の簡単な説明】
【図１】本発明の第一の実施の形態の買い物籠を示す斜視図である。
【図２】その縦断側面図である。
【図３】拡張体が引き出された状態の買い物籠を示す斜視図である。
【図４】その縦断側面図である。
【図５】本発明の第二の実施の形態の買い物籠を示す斜視図である。
【図６】その縦断側面図である。
【図７】拡張体が引き出された状態の買い物籠を示す斜視図である。
【図８】その縦断側面図である。
【符号の説明】
１…買い物籠、２…籠本体、６…前縦壁（側壁）、８…本体収納部、２０…拡張体、２５…保持機構、３０…拡張収納部、３１…取っ手、３２…取っ手、５０…拡張体、５４…支軸（支点）、５７…保持機構
【図１】
2005027756.tif 000003
【図２】
2005027756.tif 000004
【図３】
2005027756.tif 000005
【図４】
2005027756.tif 000006
【図５】
2005027756.tif 000007
【図６】
2005027756.tif 000008
【図７】
2005027756.tif 000009
【図８】
2005027756.tif 000010